(57)【特許請求の範囲】
【請求項１】
車両ホイール用のタイヤ（３９）を製造する方法であって、
−  製造プラント（１）の複数の加硫装置の各加硫装置（３０）を、未硬化タイヤの少なくとも１つの保管領域（２０）からの未硬化タイヤのそれぞれの取り出しロジックに対応付けることと、
−  前記複数の加硫装置のうちのある加硫装置（３０）で未硬化タイヤを加硫するという各要求時に、前記加硫装置（３０）に対応した前記取り出しロジックを適用して、前記少なくとも１つの保管領域（２０）から未硬化タイヤを選択し、取り出すことと、
−  このようして選択して取り出した前記未硬化タイヤを前記加硫装置（３０）に移送することと、
を含み、
各加硫装置（３０）に対応した前記それぞれの取り出しロジックは、前記少なくとも１つの保管領域（２０）からの未硬化タイヤの第１の取り出し規則を含み、前記加硫装置（３０）の少なくとも１つに対して、前記第１の取り出し規則は、前記プラント（１）における少なくとも１ロットのタイヤの製造中に、少なくとも一度、少なくとも１つの第２の取り出し規則に変更され、
前記加硫装置（３０）の少なくとも１つに対して、前記第１の取り出し規則は、前記加硫装置（３０）が加硫するのに適合する未硬化タイヤに対応した仕様Ｓｐｊに基づくＦＩＦＯと、前記仕様Ｓｐｊの所定の補助仕様Ｓｕｈに基づくＦＩＦＯと、前記仕様Ｓｐｊに基づくＬＩＦＯと、前記所定の補助仕様Ｓｕｈに基づくＬＩＦＯとを含む複数の取り出し規則から選択され、１≦ｊ≦ｎ、１≦ｈ≦ｍであり、ｎ、ｍは１以上の整数である、方法。
【請求項２】
車両ホイール用のタイヤ（３９）を製造する方法であって、
−  製造プラント（１）の複数の加硫装置の各加硫装置（３０）を、未硬化タイヤの少なくとも１つの保管領域（２０）からの未硬化タイヤのそれぞれの取り出しロジックに対応付けることと、
−  前記複数の加硫装置のうちのある加硫装置（３０）で未硬化タイヤを加硫するという各要求時に、前記加硫装置（３０）に対応した前記取り出しロジックを適用して、前記少なくとも１つの保管領域（２０）から未硬化タイヤを選択し、取り出すことと、
−  このようして選択して取り出した前記未硬化タイヤを前記加硫装置（３０）に移送することと、
を含み、
各加硫装置（３０）に対応した前記それぞれの取り出しロジックは、前記少なくとも１つの保管領域（２０）からの未硬化タイヤの第１の取り出し規則を含み、前記加硫装置（３０）の少なくとも１つに対して、前記第１の取り出し規則は、前記プラント（１）における少なくとも１ロットのタイヤの製造中に、少なくとも一度、少なくとも１つの第２の取り出し規則に変更され、
前記第１の取り出し規則は、前記加硫装置（３０）が適合して構成される未硬化タイヤに対応した仕様Ｓｐｊに基づくＦＩＦＯと、前記仕様Ｓｐｊの所定の補助仕様Ｓｕｈに基づくＦＩＦＯと、前記仕様Ｓｐｊに基づくＬＩＦＯと、前記所定の補助仕様Ｓｕｈに基づくＬＩＦＯと、特定の未硬化タイヤの定時選択と、未硬化タイヤのランダム選択とを含む複数の取り出し規則から選択され、１≦ｊ≦ｎ、１≦ｈ≦ｍであり、ｎ、ｍは１以上の整数である、方法。
【請求項３】
車両ホイール用のタイヤ（３９）を製造する方法であって、
−  製造プラント（１）の複数の加硫装置の各加硫装置（３０）を、未硬化タイヤの少なくとも１つの保管領域（２０）からの未硬化タイヤのそれぞれの取り出しロジックに対応付けることと、
−  前記複数の加硫装置のうちのある加硫装置（３０）で未硬化タイヤを加硫するという各要求時に、前記加硫装置（３０）に対応した前記取り出しロジックを適用して、前記少なくとも１つの保管領域（２０）から未硬化タイヤを選択し、取り出すことと、
−  このようして選択して取り出した前記未硬化タイヤを前記加硫装置（３０）に移送することと、
を含み、
各加硫装置（３０）に対応した前記それぞれの取り出しロジックは、前記少なくとも１つの保管領域（２０）からの未硬化タイヤの第１の取り出し規則を含み、前記加硫装置（３０）の少なくとも１つに対して、前記第１の取り出し規則は、前記プラント（１）における少なくとも１ロットのタイヤの製造中に、少なくとも一度、少なくとも１つの第２の取り出し規則に変更され、
前記少なくとも１つの第２の取り出し規則は、前記加硫装置（３０）が適合して構成される未硬化タイヤに対応した仕様Ｓｐｊに基づくＦＩＦＯと、前記仕様Ｓｐｊの所定の補助仕様Ｓｕｈに基づくＦＩＦＯと、前記仕様Ｓｐｊに基づくＬＩＦＯと、前記所定の補助仕様Ｓｕｈに基づくＬＩＦＯと、特定の未硬化タイヤの定時選択と、未硬化タイヤのランダム選択とを含む複数の取り出し規則から選択され、１≦ｊ≦ｎ、１≦ｈ≦ｍであり、ｎ、ｍは１以上の整数である、方法。
【請求項４】
前記製造プラント（１）が、未硬化タイヤの単一の保管領域（２０）を含む場合、未硬化タイヤの前記保管領域（２０）は、前記第１の取り出し規則および前記少なくとも１つの第２の取り出し規則の適用を可能にするように構成される、請求項１〜３のいずれか一項に記載の方法。
【請求項５】
前記製造プラントが未硬化タイヤの２つ以上の保管領域（２０）を含む場合、前記保管領域（２０）の少なくとも１つは、前記第１の取り出し規則および前記少なくとも１つの第２の取り出し規則の適用を可能にするように構成される、請求項１〜３のいずれか一項に記載の方法。
【請求項６】
前記製造プラントが未硬化タイヤの２つ以上の保管領域（２０）を含む場合、前記保管領域（２０）のすべては、前記第１の取り出し規則および前記少なくとも１つの第２の取り出し規則の適用を可能にするように構成される、請求項１〜３のいずれか一項に記載の方法。
【請求項７】
前記第１の取り出し規則および前記少なくとも１つの第２の取り出し規則は異なる、請求項１〜３のいずれか一項に記載の方法。
【請求項８】
前記第１の取り出し規則は、前記少なくとも１ロットのタイヤの製造中に、前記製造プラント（１）の要求に応じて、前記少なくとも１つの第２の取り出し規則に変更される、請求項１〜３のいずれか一項に記載の方法。
【請求項９】
前記第１の取り出し規則および前記少なくとも１つの第２の取り出し規則は、前記加硫装置（３０）が適合して構成される前記所定の仕様Ｓｐｊに対応した未硬化タイヤを選択すると規定する、請求項１〜３のいずれか一項に記載の方法。
【請求項１０】
特定の未硬化タイヤの前記定時選択は、一義的な未硬化タイヤ識別要素を通じて行われる、請求項２または３に記載の方法。
【請求項１１】
特定の未硬化タイヤの前記定時選択は、前記一義的な未硬化タイヤ識別要素を載せた適切なラベルを使用して行われる、請求項１０に記載の方法。
【請求項１２】
前記複数の取り出し規則の少なくとも１つは、前記規則を適用する未硬化タイヤの数量の表示を含む、請求項１〜３のいずれか一項に記載の方法。
【請求項１３】
前記製造プラント（１）が、未硬化タイヤの２つ以上の保管領域（２０）を含む場合に、前記複数の取り出し規則の少なくとも１つは、前記取り出し規則が、前記製造プラント（１）の特定の保管領域（２０）か、または前記保管領域（２０）のすべてか、または前記保管領域（２０）の一部かのいずれに適用されるべきかを示す、請求項１〜３のいずれか一項に記載の方法。
【請求項１４】
前記それぞれの取り出しロジックは、前記複数の加硫装置のうちの少なくとも２つの加硫装置（３０）に対して異なる、請求項１〜３のいずれか一項に記載の方法。
【請求項１５】
前記複数の加硫装置のうちの、大量生産に対する所定の仕様Ｓｐｊに対応した未硬化タイヤを加硫するように構成された前記加硫装置（３０）の場合、前記第１の取り出し規則は、前記所定の仕様Ｓｐｊに基づくＦＩＦＯ取り出し規則である、請求項１〜３のいずれか一項に記載の方法。
【請求項１６】
前記複数の加硫装置（３０）のうちの、大量生産に対する所定の仕様Ｓｐｊに対応した未硬化タイヤを加硫するように構成された前記加硫装置の場合、前記第１の取り出し規則は、前記所定の仕様Ｓｐｊの所定の補助仕様Ｓｕｈに基づくＦＩＦＯ取り出し規則である、請求項１〜３のいずれか一項に記載の方法。
【請求項１７】
前記第１の取り出し規則が、前記少なくとも１つの第２の取り出し規則に変更される前記加硫装置（３０）の前記少なくとも１つは、開発用生産に対する所定の仕様Ｓｐｊに対応した未硬化タイヤを加硫するように構成される、請求項１〜３のいずれか一項に記載の方法。
【請求項１８】
前記未硬化タイヤは、少なくとも１つの移送装置（７０）によって、前記少なくとも１つの保管領域（２０）から選択されて取り出され、前記加硫装置（３０）に移送される、請求項１〜３のいずれか一項に記載の方法。
【請求項１９】
車両ホイール用のタイヤ（３９）を製造するプラント（１）であって、
−  未硬化タイヤの少なくとも１つの構築ライン（１０）と、
−  前記少なくとも１つの構築ライン（１０）で構築された前記未硬化タイヤを保管するように適合された少なくとも１つの保管領域（２０）と、
−  複数の加硫装置と、
−  前記未硬化タイヤを前記少なくとも１つの保管領域（２０）から前記複数の加硫装置に移送するように適合された少なくとも１つの移送装置（７０）と、
−  各加硫装置（３０）を前記少なくとも１つの保管領域（２０）からの未硬化タイヤのそれぞれの取り出しロジックに対応付けるように適合された処理ユニット（５０）であって、前記複数の加硫装置のうちのある加硫装置（３０）で未硬化タイヤを加硫するという各要求時に、前記加硫装置（３０）に対応する前記取り出しロジックを適用して、未硬化タイヤを前記少なくとも１つの保管領域（２０）から選択して取り出し、前記未硬化タイヤを前記加硫装置（３０）に移送するように前記少なくとも１つの移送装置（７０）を動作させるように適合された処理ユニット（５０）と、
を含み、
各加硫装置（３０）に対応した前記それぞれの取り出しロジックは、前記少なくとも１つの保管領域（２０）からの未硬化タイヤの第１の取り出し規則を含み、前記加硫装置（３０）の少なくとも１つに対して、前記処理ユニット（５０）は、前記プラント（１）における少なくとも１ロットのタイヤの製造中に、少なくとも一度、前記第１の取り出し規則を少なくとも１つの第２の取り出し規則に変更するように適合され、
前記加硫装置（３０）の少なくとも１つに対して、前記第１の取り出し規則は、前記加硫装置（３０）が加硫するのに適合する未硬化タイヤに対応した仕様Ｓｐｊに基づくＦＩＦＯと、前記仕様Ｓｐｊの所定の補助仕様Ｓｕｈに基づくＦＩＦＯと、前記仕様Ｓｐｊに基づくＬＩＦＯと、前記所定の補助仕様Ｓｕｈに基づくＬＩＦＯとを含む複数の取り出し規則から選択され、１≦ｊ≦ｎ、１≦ｈ≦ｍであり、ｎ、ｍは１以上の整数である、プラント（１）。
【請求項２０】
車両ホイール用のタイヤ（３９）を製造するプラント（１）であって、
−  未硬化タイヤの少なくとも１つの構築ライン（１０）と、
−  前記少なくとも１つの構築ライン（１０）で構築された前記未硬化タイヤを保管するように適合された少なくとも１つの保管領域（２０）と、
−  複数の加硫装置と、
−  前記未硬化タイヤを前記少なくとも１つの保管領域（２０）から前記複数の加硫装置に移送するように適合された少なくとも１つの移送装置（７０）と、
−  各加硫装置（３０）を前記少なくとも１つの保管領域（２０）からの未硬化タイヤのそれぞれの取り出しロジックに対応付けるように適合された処理ユニット（５０）であって、前記複数の加硫装置のうちのある加硫装置（３０）で未硬化タイヤを加硫するという各要求時に、前記加硫装置（３０）に対応する前記取り出しロジックを適用して、未硬化タイヤを前記少なくとも１つの保管領域（２０）から選択して取り出し、前記未硬化タイヤを前記加硫装置（３０）に移送するように前記少なくとも１つの移送装置（７０）を動作させるように適合された処理ユニット（５０）と、
を含み、
各加硫装置（３０）に対応した前記それぞれの取り出しロジックは、前記少なくとも１つの保管領域（２０）からの未硬化タイヤの第１の取り出し規則を含み、前記加硫装置（３０）の少なくとも１つに対して、前記処理ユニット（５０）は、前記プラント（１）における少なくとも１ロットのタイヤの製造中に、少なくとも一度、前記第１の取り出し規則を少なくとも１つの第２の取り出し規則に変更するように適合され、
前記第１の取り出し規則は、前記加硫装置（３０）が適合して構成される未硬化タイヤに対応した仕様Ｓｐｊに基づくＦＩＦＯと、前記仕様Ｓｐｊの所定の補助仕様Ｓｕｈに基づくＦＩＦＯと、前記仕様Ｓｐｊに基づくＬＩＦＯと、前記所定の補助仕様Ｓｕｈに基づくＬＩＦＯと、特定の未硬化タイヤの定時選択と、未硬化タイヤのランダム選択とを含む複数の取り出し規則から選択され、１≦ｊ≦ｎ、１≦ｈ≦ｍであり、ｎ、ｍは１以上の整数である、プラント（１）。
【請求項２１】
車両ホイール用のタイヤ（３９）を製造するプラント（１）であって、
−  未硬化タイヤの少なくとも１つの構築ライン（１０）と、
−  前記少なくとも１つの構築ライン（１０）で構築された前記未硬化タイヤを保管するように適合された少なくとも１つの保管領域（２０）と、
−  複数の加硫装置と、
−  前記未硬化タイヤを前記少なくとも１つの保管領域（２０）から前記複数の加硫装置に移送するように適合された少なくとも１つの移送装置（７０）と、
−  各加硫装置（３０）を前記少なくとも１つの保管領域（２０）からの未硬化タイヤのそれぞれの取り出しロジックに対応付けるように適合された処理ユニット（５０）であって、前記複数の加硫装置のうちのある加硫装置（３０）で未硬化タイヤを加硫するという各要求時に、前記加硫装置（３０）に対応する前記取り出しロジックを適用して、未硬化タイヤを前記少なくとも１つの保管領域（２０）から選択して取り出し、前記未硬化タイヤを前記加硫装置（３０）に移送するように前記少なくとも１つの移送装置（７０）を動作させるように適合された処理ユニット（５０）と、
を含み、
各加硫装置（３０）に対応した前記それぞれの取り出しロジックは、前記少なくとも１つの保管領域（２０）からの未硬化タイヤの第１の取り出し規則を含み、前記加硫装置（３０）の少なくとも１つに対して、前記処理ユニット（５０）は、前記プラント（１）における少なくとも１ロットのタイヤの製造中に、少なくとも一度、前記第１の取り出し規則を少なくとも１つの第２の取り出し規則に変更するように適合され、
前記少なくとも１つの第２の取り出し規則は、前記加硫装置（３０）が適合して構成される未硬化タイヤに対応した仕様Ｓｐｊに基づくＦＩＦＯと、前記仕様Ｓｐｊの所定の補助仕様Ｓｕｈに基づくＦＩＦＯと、前記仕様Ｓｐｊに基づくＬＩＦＯと、前記所定の補助仕様Ｓｕｈに基づくＬＩＦＯと、特定の未硬化タイヤの定時選択と、未硬化タイヤのランダム選択とを含む複数の取り出し規則から選択され、１≦ｊ≦ｎ、１≦ｈ≦ｍであり、ｎ、ｍは１以上の整数である、プラント（１）。
【請求項２２】
前記処理ユニット（５０）は、前記少なくとも１つの保管領域（２０）に対して遠隔位置に配置される、請求項１９〜２１のいずれか一項に記載のプラント（１）。
【請求項２３】
未硬化タイヤのＬ個の構築ライン（１０）を含み、１＜Ｌ≦Ｎであり、Ｎは２以上の整数である、請求項１９〜２１のいずれか一項に記載のプラント（１）。
【請求項２４】
未硬化タイヤのＫ個の保管領域（２０）を含み、１＜Ｋ≦Ｐであり、Ｐは２以上の整数である、請求項１９〜２１のいずれか一項に記載のプラント（１）。
【請求項２５】
前記少なくとも１つの移送装置（７０）は、前記未硬化タイヤを前記Ｋ個の保管領域（２０）から前記複数の加硫装置（３０）に移送するように適合される、請求項２４に記載のプラント（１）。
【請求項２６】
前記複数の加硫装置のうちのある加硫装置（３０）で未硬化タイヤを加硫するという各要求時に、前記処理ユニット（５０）は、前記加硫装置（３０）に対応する前記取り出しロジックを適用して、未硬化タイヤを前記Ｋ個の保管領域（２０）から選択して取り出し、前記未硬化タイヤを前記加硫装置（３０）に移送するように前記少なくとも１つの移送装置（７０）を動作させるように適合される、請求項２４に記載のプラント（１）。
【請求項２７】
前記少なくとも１つの移送装置（７０）は自動化アームを含む、請求項１９〜２１のいずれか一項に記載のプラント（１）。
【請求項２８】
前記未硬化タイヤを前記少なくとも１つの保管領域（２０）から前記加硫装置（３０）に移送するように適合された複数の移送装置（７０）を含む、請求項１９〜２１のいずれか一項に記載のプラント（１）。
【発明の詳細な説明】
【技術分野】
【０００１】
説明
本発明は、車両ホイール用のタイヤを製造する方法およびプラントに関する。
【背景技術】
【０００２】
車両ホイール用のタイヤは、通常、略トロイド形状に成形され、両側の端部部分をそれぞれ有する少なくとも１つのカーカスプライを含むカーカス構造体を含む。両側の端部部分は、通常、それぞれが「ビードコア」と呼ばれる少なくとも１つの略周方向環状挿入物でできたそれぞれの環状固定構造体と係合し、ビードコア上には、通常、半径方向で回転軸から離れる方向に先細りになる少なくとも１つのフィラー挿入物が加えられる。環状固定構造体は、一般的に「ビード部」という用語で特定される領域に配置される。ビード部は、それぞれの組立リムに基づくタイヤの、いわゆる「取付径」に実質的に一致する内径を有する。タイヤはまた、タイヤの中心を基準として、カーカスプライの半径方向外側の位置に配置された少なくとも１つのベルトストリップと、ベルトストリップの半径方向外側にあるトレッドバンドとを含むクラウン構造体を含む。トレンドバンド上には、通常、所望のトレッドパターンを画定するように、長手方向および横方向の溝が形成および配置される。トレッドバンドとベルトストリップとの間には、ベルトストリップとトレッドバンド自体との安定した結合を確実にするのに適した特性を有するエラストマー材料からなる、いわゆる「下層」が存在し得る。タイヤはまた、両側でカーカス構造体の側面に付けられた、エラストマー材料からなる１対の、いわゆるサイドウオールを含む。「チューブレス」タイヤでは、気密性を有し、通常ビード部の一方から他方に延びる、一般的に「ライナ」と呼ばれる、エラストマー材料の層が、カーカスプライに対して半径方向内側位置に存在する。
【０００３】
タイヤの製造サイクルによれば、タイヤ自体の様々な構造要素が作製され、かつ／または組み立てられる構築プロセスの後、構築された未硬化タイヤは型成形および加硫ラインに移送され、所望の幾何形状およびトレッドパターンに従ったタイヤの構造体を形成するように適合された型成形および加硫プロセスが実施される。
【０００４】
「エラストマー材料」とは、少なくとも１つのエラストマー性ポリマー、および少なくとも１つの補強用フィラーを含む組成物を意味する。好ましくは、そのような組成物はまた、例えば、架橋剤および／または可塑剤などの添加剤を含む。架橋剤があることで、そのような材料は、最終製品を形成するように、加熱により架橋することができる。
【０００５】
「未硬化タイヤ」という用語は、構築プロセスから得られ、まだ型成形および加硫されていないタイヤを意味する。
【０００６】
「仕様」という用語は、タイヤを製造するプロセスおよびプラントを示す一連の情報を意味する。そのような情報は、製造プラント内でタイヤの様々な構造要素を作製するための装置を示す情報、材料を示す情報、および機械経路（すなわち、構築ライン内の異なる加工ステーション間の経路）を画定する情報を含み得る。そのような情報はまた、実行される型成形および加硫プロセスを特定および説明する情報を含み得る。
【０００７】
所定の仕様に対する「補助仕様」という用語は、他方で、所定の仕様の機械経路と異なる機械経路を示す情報を除いて、所定の仕様の情報と同じ一連の情報を意味する。
【０００８】
「タイヤのロット」とは、製造プラント内の各構築ラインに対して、１回の作業シフトで構築される未硬化タイヤの数量を意味する。
【０００９】
「作業シフト」とは、約１時間〜約２４時間、好ましくは約４時間〜約１２時間に含まれる構築ラインの作動時間を意味する。
【００１０】
同一出願人による国際公開第２００９／０４０５９４号は、カーカス構造体構築ラインと、クラウン構造体構築ラインと、未硬化タイヤを得るために、カーカス構造体を成形して、そのカーカス構造体をクラウン構造体に組み込むように適合された、処理されるタイヤの組立および成形ステーションと、組立および成形済みの未硬化タイヤの型成形および加硫ラインと、未硬化タイヤ保管ステーションと、未硬化タイヤを組立および成形ステーションから未硬化タイヤ保管ステーションに移送する装置と、未硬化タイヤを未硬化タイヤ保管ステーションから型成形および加硫ラインに移送する装置とを含む車両ホイール用のタイヤを製造するプラントについて記載している。型成形および加硫ラインは、それぞれが少なくとも１つの加硫成形型を設けられた少なくとも２つの加硫ユニットを含む。
【００１１】
米国特許第５  ６３１  ０２８号は、未硬化タイヤ積載パレットと、パレットを保管する保管領域と、保管領域と加硫装置との間でパレットを移動させる移送装置とを含む、未硬化タイヤを複数の加硫装置に運搬するシステムについて記載している。保管領域は、第１の保管領域および第２の保管領域を含む。第１の保管領域では、移送装置は、パレットが第１の領域に導入されたのと同じ順序でパレットを取り出す（先入れ先出し、すなわちＦＩＦＯ）ように適合される。第２の保管領域では、移送装置は、ランダムな順序によってパレットを取り出すように適合される。第１の領域では、大量生産仕様の未硬化タイヤが保管される。それに対して、第２の領域では、多種多様な小規模生産仕様の未硬化タイヤが保管される。未硬化タイヤを加硫する要求があるときに、未硬化タイヤの仕様が大量生産向けの場合、パレットは、ＦＩＦＯロジックに従って第１の保管領域から取り出され、それに対して、未硬化タイヤの仕様が多種多様な小規模生産向けの場合、関連パレットが第２の保管領域から取り出される。
【００１２】
国際公開第２００７／０９１３１５号は、複数のタイプのタイヤを同時に製造する方法およびプラントについて記載している。未硬化タイヤは、構築装置で構築され、次いで、加硫装置で加硫される。構築装置と加硫装置との間には、未硬化タイヤが一時的に保管される自由保管領域がある。未硬化タイヤの製品タイプと、保管領域での未硬化タイヤの位置とを示す情報を含むラベルが、構築された各未硬化タイヤに貼り付けられる。処理装置は、保管領域に保管された未硬化タイヤ間で、生産計画のデータから、加硫する未硬化タイヤを選択し、データベースから、選択された未硬化タイヤの保管領域内の位置を検索し、加硫装置のうちから、選択された未硬化タイヤの製品タイプに対応する加硫成形型を含む加硫装置を選択する。この後、処理装置は、選択された未硬化タイヤを保管領域内の探し出した位置から、選択した加硫装置に運ぶように移送手段を動作させる。
【発明の概要】
【発明が解決しようとする課題】
【００１３】
本出願人は、国際公開第２００９／０４０５９４号が説明するタイプのプラントにおいて、高い技術的適応性で、言い換えると、エラストマー材料のタイプ、または補強用のコードもしくは金属ワイヤのタイプによって互いに異なる特徴を有する各タイヤに対して要素半製品（通常は、繊維または金属のコード、ゴムを被覆した金属ワイヤを組み込むことができるエラストマー材料でできた、連続する細長い要素または所定の寸法に切断された要素）を使用できることで、異なるタイプおよびモデルのタイヤを同時に製造することが可能であると気付いた。
【００１４】
本出願人は、国際公開第２００９／０４０５９４号が説明するタイプの製造プラントにおいて、通常製造のタイヤと、異なる仕様および補助仕様を有する、開発／製品化中のタイヤとが同時に存在し得ると気付いた。特に、開発／製品化段階は、多くの場合、製造されるタイヤの仕様／補助仕様が高い頻度で変わることを特徴とする。
【００１５】
高い技術的適応性に関連して、本出願人は、高い技術的適応性と、製造プラント全体としての高い生産性とを同時に保証するために、保管ステーションから取り出されて加硫ラインに送られる未硬化タイヤの同様に適応性のある管理を保証することが必要であると認識した。
【００１６】
本出願人は、米国特許第５  ６３１  ０２８号が説明するシステムでは、上記の目的を効率的に達成できないと気付いた。実際上、ＦＩＦＯ（先入れ先出し）取り出しロジックを用いる、大量生産タイヤ用の第１のものと、ランダム取り出しロジックを用いる、多種多様な小規模生産タイヤ用の第２のものとの２つの異なるタイプの保管領域を用意するそのようなシステムは、タイヤがそれぞれの保管領域に保管されてしまうと、異なる取り出しロジックを適用することができない。さらに、そのようなシステムは、ＦＩＦＯと異なる取り出しロジックが大量生産のタイヤに適用されるのを許容せず、ランダムと異なる取り出しロジックが多種多様な小規模生産タイヤに適用されるのも許容しない。さらに、本出願人は、米国特許第５  ６３１  ０２８号が説明するシステムが、同じ仕様の４つの未硬化タイヤが同時に積載された積載パレットを移動させることに気付いた。したがって、そのようなシステムは、ＦＩＦＯ取り出しロジックの場合とランダム取り出しロジックの場合との両方で、４つの未硬化タイヤの同時の取り出しおよび移動を可能にするが、単一の未硬化タイヤの取り出しおよび移動は可能にしない。
【００１７】
本出願人はまた、国際公開第２００７／０９１３１５号が説明するタイプのプラントにおいて、生産計画における要求に基づいて、特定のタイヤを加硫することが可能であることに気付いた。しかし、これらのプラントは、保管領域からの取り出しロジックを予想するに過ぎず、特定のタイヤの取り出しロジックは適切なラベルを通じて特定され得る。さらに、これらのプラントは、選択された特定のタイヤの製品タイプに基づいて、使用される加硫装置を選択して予想する。単一の定時取り出しロジックの使用に起因する、１つまたは複数の加硫装置が利用不能であることに関連した問題、ならびに／あるいは保管領域内の未硬化タイヤの取り出しおよび移送装置の最適でない使用に関連した問題により、非効率性が生じ、生産性が低下し、場合によっては、保管領域に保管された未硬化タイヤの経年変化問題が発生し得る。
【課題を解決するための手段】
【００１８】
本出願人は、１ロットのタイヤ製造の範囲内の特定の時間において、特定の要求について適応性のある１つまたは複数の加硫装置に対して、未硬化タイヤの取り出しロジックを使用することで、特に、国際公開第２００９／０４０５９４号に記載したものなどの高い技術的適応性を有する最新のプラントにおいて、上記の問題を解決できることを認識した。
【００１９】
本出願人は、保管領域から未硬化タイヤを選択して取り出すために、各加硫装置を未硬化タイヤのそれぞれの取り出しロジックに対応付け、加硫装置で未硬化タイヤを加硫するという各要求時に、そのような加硫装置に現在対応している取り出しロジックを適用することにより、プラントで製造される各タイヤの適応的かつ効率的な管理が行われると分かった。取り出しロジックは、少なくとも１ロットのタイヤの製造の範囲内で、製造プラントの現在の要求に応じて変わるのが好ましい。
【００２０】
したがって、本発明の第１の態様によれば、本発明は、製造プラントの複数の加硫装置の各加硫装置を、未硬化タイヤの少なくとも１つの保管領域からの未硬化タイヤのそれぞれの取り出しロジックに対応付けることを含む、車両ホイール用のタイヤを製造する方法に関する。
【００２１】
前記複数の加硫装置のうちのある加硫装置で未硬化タイヤを加硫するという各要求時に、前記加硫装置に対応した取り出しロジックを適用して、前記少なくとも１つの保管領域から未硬化タイヤを選択して取り出すことが提供されるのが好ましい。
【００２２】
選択して取り出した未硬化タイヤを前記加硫装置に移送することが提供されるのが好ましい。
【００２３】
好ましくは、各加硫装置に対応したそれぞれの取り出しロジックは、前記少なくとも１つの保管領域からの未硬化タイヤの第１の取り出し規則を含む。
【００２４】
好ましくは、前記加硫装置の少なくとも１つに対して、前記第１の取り出し規則は、前記プラントにおける少なくとも１ロットのタイヤの製造中に、少なくとも一度、少なくとも１つの第２の取り出し規則に変更される。
【００２５】
本出願人は、有利には、このようにして、加硫装置が未硬化タイヤを加硫する準備を整えるたびに、サービス、製造、および／または製造工程の進展に関する現在の要求を満たす（例えば、特定の、または確定した仕様を有する、または確定した仕様および補助仕様を有する）未硬化タイヤを保管領域から自動的に選択して取り出すことが可能であると考える。このようにして、未硬化タイヤを保管領域から取り出して、加硫ラインに送るための適応的かつ効率的な管理が保証される。
【００２６】
本発明の第２の態様によれば、本発明は、未硬化タイヤの少なくとも１つの構築ラインを含む、車両ホイール用のタイヤの製造プラントに関する。
【００２７】
好ましくは、少なくとも１つの保管領域は、前記少なくとも１つの構築ラインで構築された未硬化タイヤを保管するように適合される。
【００２８】
複数の加硫装置があるのが好ましい。
【００２９】
好ましくは、少なくとも１つの移送装置は、未硬化タイヤを前記少なくとも１つの保管領域から前記複数の加硫装置に移送するように適合される。
【００３０】
好ましくは、処理ユニットは、各加硫装置を前記少なくとも１つの保管領域からの未硬化タイヤのそれぞれの取り出しロジックに対応付ける。
【００３１】
好ましくは、前記処理ユニットは、前記複数の加硫装置のうちのある加硫装置で未硬化タイヤを加硫するという各要求時に、前記加硫装置に対応した取り出しロジックを適用して、前記少なくとも１つの保管領域から未硬化タイヤを選択して取り出し、その未硬化タイヤを前記加硫装置に移送するように前記少なくとも１つの移送装置を動作させる。
【００３２】
好ましくは、各加硫装置に対応したそれぞれの取り出しロジックは、前記少なくとも１つの保管領域からの未硬化タイヤの第１の取り出し規則を含む。
【００３３】
好ましくは、前記加硫装置の少なくとも１つに対して、前記処理ユニットは、前記プラントにおける少なくとも１ロットのタイヤの製造中に、少なくとも一度、前記第１の取り出し規則を少なくとも１つの第２の取り出し規則に変更するように適合される。
【００３４】
本発明は、前述の態様の少なくとも１つにおいて、以下の好ましい特徴の少なくとも１つを有することができる。
【００３５】
好ましくは、製造プラントが未硬化タイヤの単一の保管領域を含む場合、未硬化タイヤの保管領域は、前記第１の取り出し規則および前記少なくとも１つの第２の取り出し規則の適用を可能にするように構成される。
【００３６】
好ましくは、製造プラントが未硬化タイヤの２つ以上の保管領域を含む場合、前記保管領域の少なくとも１つは、前記第１の取り出し規則および前記少なくとも１つの第２の取り出し規則の適用を可能にするように構成される。
【００３７】
実施形態では、製造プラントが未硬化タイヤの２つ以上の保管領域を含む場合、保管領域のすべては、前記第１の取り出し規則および前記少なくとも１つの第２の取り出し規則の適用を可能にするように構成される。
【００３８】
好ましくは、前記第１の取り出し規則および前記少なくとも１つの第２の取り出し規則は異なる。
【００３９】
好ましくは、前記第１の取り出し規則は、前記少なくとも１ロットのタイヤの製造中に、製造プラントの要求に応じて、前記少なくとも１つの第２の取り出し規則に変更される。
【００４０】
好ましくは、未硬化タイヤは、仕様Ｓｐｊと、各仕様Ｓｐｊの補助仕様Ｓｕｈとに対応し、１≦ｊ≦ｎ、１≦ｈ≦ｍであり、ｎ、ｍは１以上の整数である。
【００４１】
好ましくは、前記複数の加硫装置の各加硫装置は、所定の仕様Ｓｐｊに対応した未硬化タイヤを加硫するように構成される。
【００４２】
好ましくは、前記第１の取り出し規則および前記少なくとも１つの第２の取り出し規則は、所定の仕様Ｓｐｊに対応した未硬化タイヤを選択すると規定し、前記加硫装置は、所定の仕様Ｓｐｊ用に構成される。
【００４３】
実施形態では、前記第１の取り出し規則は、加硫装置が適合して構成される仕様Ｓｐｊに基づくＦＩＦＯと、加硫装置が適合して構成される仕様Ｓｐｊの所定の補助仕様Ｓｕｈに基づくＦＩＦＯと、加硫装置が適合して構成される仕様Ｓｐｊに基づくＬＩＦＯ（後入れ先出し）と、加硫装置が適合して構成される仕様Ｓｐｊの所定の補助仕様Ｓｕｈに基づくＬＩＦＯと、特定の未硬化タイヤの定時選択と、未硬化タイヤのランダム選択とを含む複数の取り出し規則から選択される。
【００４４】
好ましくは、前記加硫装置の少なくとも１つに対して、前記第１の取り出し規則は、前記加硫装置が加硫するのに適合する仕様Ｓｐｊに基づくＦＩＦＯと、前記加硫装置が加硫するのに適合する仕様Ｓｐｊの所定の補助仕様Ｓｕｈに基づくＦＩＦＯと、前記加硫装置が加硫するのに適合する仕様Ｓｐｊに基づくＬＩＦＯと、前記加硫装置が加硫するのに適合する仕様Ｓｐｊの所定の補助仕様Ｓｕｈに基づくＬＩＦＯとを含む複数の取り出し規則から選択される。
【００４５】
実施形態では、前記少なくとも１つの第２の取り出し規則は、加硫装置が適合して構成される仕様Ｓｐｊに基づくＦＩＦＯと、加硫装置が適合して構成される仕様Ｓｐｊの所定の補助仕様Ｓｕｈに基づくＦＩＦＯと、加硫装置が適合して構成される仕様Ｓｐｊに基づくＬＩＦＯと、加硫装置が適合して構成される仕様Ｓｐｊの所定の補助仕様Ｓｕｈに基づくＬＩＦＯと、特定の未硬化タイヤの定時選択と、未硬化タイヤのランダム選択とを含む複数の取り出し規則から選択される。
【００４６】
好ましくは、特定の未硬化タイヤの定時選択は、一義的な未硬化タイヤ識別要素を通じて行われる。
【００４７】
好ましくは、特定の未硬化タイヤの定時選択は、一義的な未硬化タイヤ識別要素を載せた適切なラベルを使用して行われる。
【００４８】
好ましくは、一義的な識別要素はバーコードである。
【００４９】
好ましくは、前記複数の取り出し規則の少なくとも１つは、規則を適用する未硬化タイヤの数量の表示を含む。
【００５０】
好ましくは、規則を適用する未硬化タイヤの前記数量は、規定されないか、または規定される。
【００５１】
好ましくは、製造プラントが、未硬化タイヤの２つ以上の保管領域を含む場合、前記複数の取り出し規則の少なくとも１つは、取り出し規則が製造プラントの特定の保管領域か、または保管領域のすべてか、または保管領域の一部かのいずれに適用されなければならないかを示す。
【００５２】
実施形態では、前記それぞれの取り出しロジックは、複数の加硫装置のうちの少なくとも２つの加硫装置に対して異なる。
【００５３】
好ましくは、前記複数の加硫装置のうちの、大量生産に対する所定の仕様Ｓｐｊに対応した未硬化タイヤを加硫するように構成された加硫装置の場合、前記第１の取り出し規則は、前記所定の仕様Ｓｐｊに基づくＦＩＦＯ取り出し規則である。
【００５４】
好ましくは、前記複数の加硫装置のうちの、大量生産に対する所定の仕様Ｓｐｊに対応した未硬化タイヤを加硫するように構成された加硫装置の場合、前記第１の取り出し規則は、前記所定の仕様Ｓｐｊの所定の補助仕様Ｓｕｈに基づくＦＩＦＯ取り出し規則である。
【００５５】
好ましくは、前記第１の取り出し規則が、前記少なくとも１つの第２の取り出し規則に変更される前記加硫装置の前記少なくとも１つは、開発用生産に対する所定の仕様Ｓｐｊに対応した未硬化タイヤを加硫するように構成される。
【００５６】
好ましくは、未硬化タイヤは、少なくとも１つの移送装置によって、前記少なくとも１つの保管領域から選択されて取り出され、前記加硫装置に移送される。
【００５７】
好ましくは、未硬化タイヤの構築が提供される。
【００５８】
好ましくは、未硬化タイヤの構築には、カーカス構造体を構築することが含まれる。
【００５９】
好ましくは、未硬化タイヤの構築には、クラウン構造体を構築することが含まれ、前記クラウン構造体は、少なくとも１つのベルト構造体を含む。
【００６０】
好ましくは、未硬化タイヤの構築には、カーカス構造体を成形し、そのカーカス構造体をクラウン構造体に組み込むことによる、加工される未硬化タイヤの組立および成形が含まれる。
【００６１】
好ましくは、構築された未硬化タイヤを未硬化タイヤの前記少なくとも１つの保管領域に保管することが提供される。
【００６２】
好ましくは、未硬化タイヤを前記複数の加硫装置内で型成形および加硫することが提供される。
【００６３】
好ましくは、処理ユニットは、前記少なくとも１つの保管領域に対して遠隔位置に配置される。
【００６４】
実施形態では、未硬化タイヤのＬ個の構築ラインが設けられ、１＜Ｌ≦Ｎであり、Ｎは２以上の整数である。
【００６５】
実施形態では、未硬化タイヤのＫ個の保管領域が設けられ、１＜Ｋ≦Ｐであり、Ｐは２以上の整数である。
【００６６】
好ましくは、前記少なくとも１つの移送装置は、未硬化タイヤを前記Ｋ個の保管領域から前記複数の加硫装置に移送するように適合される。
【００６７】
好ましくは、前記処理ユニットは、前記複数の加硫装置のうちの加硫装置で未硬化タイヤを加硫するという各要求時に、前記加硫装置に対応した取り出しロジックを適用して、前記Ｋ個の保管領域の中から未硬化タイヤを選択して取り出し、その未硬化タイヤを前記加硫装置に移送するように、前記少なくとも１つの移送装置を動作させるように適合される。
【００６８】
好ましくは、前記少なくとも１つの移送装置は自動化アームを含む。
【００６９】
好ましくは、未硬化タイヤを前記少なくとも１つの保管領域から前記加硫装置に移送するように適合された複数の移送装置が存在する。
【００７０】
好ましくは、未硬化タイヤの前記少なくとも１つの構築ラインは、カーカス構造体構築ラインを含む。
【００７１】
好ましくは、未硬化タイヤの前記少なくとも１つの構築ラインは、クラウン構造体構築ラインを含む。
【００７２】
好ましくは、未硬化タイヤの前記少なくとも１つの構築ラインは、カーカス構造体を成形し、そのカーカス構造体をクラウン構造体に組み込むように適合された、加工される未硬化タイヤの成形および組立ステーションを含む。
【００７３】
本発明のさらなる特徴および利点が、単なる非限定的な例として提示される、本発明のいくつかの例示的な実施形態についての以下の詳細な説明によって示され、前記説明は、添付図面を参照してなされる。
【図面の簡単な説明】
【００７４】
【図１】本発明に従って製造することができる車両ホイール用のタイヤの半径方向半断面図を示している。
【図２】本発明による、車両ホイール用のタイヤを製造するプラントの実施形態を概略的に示している。
【図３】本発明による、製造プラント用の未硬化タイヤの構築ラインの実施形態を概略的に示している。
【図４】本発明による、製造プラントの処理ユニットの実施形態を概略的に示している。
【図５】加硫装置Ｖｊで未硬化タイヤを加硫するという要求が、本発明の実施形態によってどのように処理されるかを概略的に示している。
【図６】コマンドメニューから選択する、加硫装置Ｖｊ、Ｖｊ＋１、Ｖｊ＋２に対応することができる取り出し規則の例を概略的に示している。
【図７】構築ラインによって連続的に製造され、ＦＩＦＯロジックに従って保管領域に保管される７つの未硬化タイヤを概略的に示している。
【図８】ＦＩＦＯ取り出しロジックが、仕様Ｓｐ１およびＳｐ２に基づいて保管領域に適用された場合に、２つの仕様Ｓｐ１およびＳｐ２用にそれぞれ構成された２つの加硫装置ＶｊおよびＶｋで、図７の７つの未硬化タイヤがどのように加硫されるかを概略的に示している。
【図９】ＦＩＦＯ取り出しロジックが仕様Ｓｐ１に基づいて適用された場合の加硫装置Ｖｊの加硫時間を概略的に示している。
【図１０】仕様Ｓｐ１に基づくＦＩＦＯ取り出しロジックから仕様Ｓｐ１の補助仕様Ｓｕ２またはＳｕ３に基づくＦＩＦＯ取り出しロジックに変わった場合の加硫装置Ｖｊでの加硫時間を概略的に示している。
【発明を実施するための形態】
【００７５】
図１は、本発明に従って製造することができる車両ホイール用のタイヤ３９の例を概略的に示している。図を簡略化するために、図１はタイヤ３９の半分だけを示し、他の半分は、図１に示す軸ＸＸに関して鏡像である。
【００７６】
タイヤ３９は、基本的に、略トロイド形状に成形され、少なくとも１つのカーカスプライ４１ａおよび／またはカーカスプライ４１ｂを有するカーカス構造体４０を含む。不透過性のエラストマー材料の層、すなわち、いわゆるライナ４２は、タイヤの中心を基準とした半径方向内側位置で、１つまたは複数のカーカスプライ４１ａ、４１ｂに付けられている。エラストマーフィラ４３ｂが付けられた、いわゆるビードコア４３ａをそれぞれが含む環状固定構造体４３は、１つまたは複数のカーカスプライ４１ａおよび／またはカーカスプライ４１ｂのそれぞれの端部部分に係合している。環状固定構造体４３は、一般に「ビード部」４４という用語で特定される領域に接近して配置され、ビード部において、タイヤ３９とそれぞれの組立リム（図示せず）との間の係合が通常行われる。いくつかのベルトストリップ４５ａ、４５ｂを含むベルト構造体４５は、１つまたは複数のカーカスプライ４１ａおよび／またはカーカスプライ４１ｂの半径方向外側位置でこれらのカーカスプライを囲んで周方向に付けられ、トレッドバンド４６は、ベルト構造体４５の半径方向外側位置で周方向にベルト構造体４５に重なっている。
【００７７】
ベルト構造体４５は、それぞれが、１つまたは複数のカーカスプライ４１ａおよび／またはカーカスプライ４１ｂと、ベルト構造体４５の軸方向両側の端縁部の一方との間に配置された、いわゆる「副ベルト挿入物」４７と結合することができる。それぞれが、それぞれのビード部４４からトレッドバンド４６のそれぞれの側端部まで延びる２つのサイドウオール４８は、横方向両側位置で１つまたは複数のカーカスプライ４１ａおよび／またはカーカスプライ４１ｂに付けられている。
【００７８】
図２は、未硬化タイヤのＬ個の構築ライン１０（Ｌ＝２）と、前記構築ライン１０で構築された未硬化タイヤを保管するように適合されたＫ個の保管領域２０（Ｋ＝２）と、複数の加硫装置３０と、未硬化タイヤを保管領域２０から前記複数の加硫装置３０に移送するように適合された少なくとも１つの移送装置７０（例として、図では２つが示されている）と、構築された未硬化タイヤを構築ライン１０から保管領域２０に移送するように適合された少なくとも１つの移送装置６０（例として、図では２つが示されている）とを含む、本発明による車両ホイール用のタイヤを製造するプラント１を示している。
【００７９】
各構築ライン１０は、それぞれの保管領域２０、それぞれの移送装置６０、およびそれぞれの移送装置７０に対応付けることができる。さらに、それぞれの移送装置７０を備えた各保管領域２０は、加硫装置３０のそれぞれのサブセットに対応付けることができる。
【００８０】
あるいは、保管領域２０および／または移送装置６０および／または移送装置７０および／または加硫装置３０は共有することができる。
【００８１】
加硫装置３０では、構築ライン１０から来た未硬化タイヤを加硫および型成形するステップが実施される。各加硫装置３０は、所定の仕様Ｓｐｊに対応した未硬化タイヤを加硫するように構成されている。
【００８２】
未硬化タイヤの各構築ライン１０は、有利には、カーカス構造体構築ライン１２、クラウン構造体構築ライン１４、ならびに成形および組立ステーション１６を含む（図３）。
【００８３】
カーカス構造体構築ライン１２は、成形ドラム上で、カーカス構造体４０と、場合によっては、サイドウオール４８の少なくとも一部とを形成するように適合されている。
【００８４】
同時に、クラウン構造体構築ライン１４は、別の成形ドラム上で、少なくともベルト構造体４５と、トレッドバンド４６と、場合によっては、サイドウオール４８の少なくとも一部とを含むクラウン構造体を形成するように適合されている。
【００８５】
成形および組立ステーション１６では、カーカス構造体構築ライン１２のそれ自体の成形ドラム上で形成されたカーカス構造体４０が成形されて、クラウン構造体構築ライン１４で形成されたクラウン構造体に組み込まれる。
【００８６】
Ｌ個の構築ライン１０で構築された未硬化タイヤは、移送装置６０によって、それぞれの成形および組立ステーション１６から保管領域２０に移送される。
【００８７】
好ましい実施形態では、移送装置６０は、好ましくは人型（anthropomorphic）である自動化アームである。
【００８８】
保管領域２０に保管されると、次いで、未硬化タイヤは、移送装置７０によって加硫装置３０に移送されて、型成形および加硫される。
【００８９】
好ましい実施形態では、移送装置７０は、保管領域２０から（定時に、および／または所定の仕様、場合によっては補助仕様に従って）所望の未硬化タイヤを選択して取り出すように適合された、好ましくは人型である自動化アームである。
【００９０】
好ましい実施形態では、カーカス構造体構築ライン１２およびクラウン構造体構築ライン１４はそれぞれ、直列に配置されたそれぞれの複数の加工ステーション１２０および１４０と、様々な加工ステーション１２０、１４０間で複数の成形ドラム（図示せず）を移動させるように適合された１つまたは複数の移動装置（例えば、好ましくは人型である自動化アーム、図示せず）とを含む。移動装置は、有利には、成形ドラムを前記複数の加工ステーション１２０、１４０のうちの任意の第１の加工ステーションから他の任意の第１の加工ステーション１２０、１４０に移動させるように適合され、第１および第２の加工ステーションは、隣接しても、しなくてもよい。
【００９１】
カーカス構造体構築ライン１２の複数の加工ステーション１２０は、以下のステーション、すなわち、少なくとも１つのビード部補強布を成形ドラムに付着させる強化布付着ステーションと、摩耗防止要素の少なくとも１つの第１の部分を成形ドラムの半径方向外側位置に付着させる第１の摩耗防止材付着ステーションと、成形ドラムの半径方向外側位置にライナ層を付着させるライナ付着ステーションと、前記ライナの半径方向外側位置に副ライナの層を付着させる副ライナ付着ステーションと、例えば、副ライナの層の半径方向外側位置に自己封止材料の層を付着させる自己封止材料付着ステーションと、成形ドラムの半径方向外側位置に１つまたは複数のカーカスプライを付着させるプライ付着ステーションと、１つまたは複数のカーカスプライの軸方向に対向する端部に、少なくとも１対の環状固定構造体を付着させる環状固定構造体付着ステーションと、摩耗防止要素の少なくとも１つの第２の部分を付着させる第２の摩耗防止材付着ステーションと、加工されるタイヤのサイドウオールの少なくとも１つの第１の部分を付着させる第１のサイドウオール構築ステーションとのうちの少なくとも２つを含む。
【００９２】
カーカス構造体構築ライン１２において、成形ドラム上で加工されるカーカス構造体は、製造されるタイヤモデルの幾何学的、構造的、および技術的特徴に基づいて、前述のステーション１２０のすべて、または一部を経由して移動する。
【００９３】
クラウン構造体構築ライン１４の複数の加工ステーション１４０は、以下のステーション、すなわち、副ベルト層を成形ドラムに付着させる副ベルト層付着ステーションと、少なくとも１つの第１のベルトストリップを成形ドラムの半径方向外側位置に付着させる第１のベルト付着ステーションと、少なくとも１つの第２のベルトストリップを第１のベルトストリップの半径方向外側位置に付着させる第２のベルト付着ステーションと、前記少なくとも１つの第２のベルトストリップ上で周方向に（タイヤの赤道面に対してゼロ度で）配置されたコードの少なくとも１つの第１の層を付着させるゼロ度層またはストリップ付着ステーションと、トレッドバンドの副層をベルト構造体の半径方向外側位置に付着させるトレッドバンド副層構築ステーションと、少なくとも１つのトレッドバンドをベルト構造体の半径方向外側位置に付着させる少なくとも１つのトレッドバンド構築ステーションと、サイドウオールの少なくとも１つの第２の部分をクラウン構造体の半径方向外側位置に付着させる第２のサイドウオール構築ステーションとのうちの少なくとも２つを含む。
【００９４】
クラウン構造体構築ライン１４において、成形ドラム上で加工されるクラウン構造体は、製造されるタイヤモデルの幾何学的、構造的、および技術的特徴に基づいて、前述のステーション１４０のすべて、または一部を経由して移動する。
【００９５】
構築ライン１０はまた、有利には、構築ライン１０で構築された未硬化タイヤが保管領域２０に移送される前に、それらの未硬化タイヤを調整し、かつ／または未硬化タイヤにラベルを付ける少なくとも１つのステーション（図示せず）を含む。
【００９６】
有利には、構築ライン１０はそれぞれ、要素半製品作製ライン１８も含む。要素半製品は、適切な要素半製品供給ステーション１９によってカーカス構造体構築ライン１２および／またはクラウン構造体構築ライン１４に供給されるように適合されている。
【００９７】
好ましくは、要素半製品作製ライン１８で作製される要素半製品は、例えば、カーカスプライ、ベルトストリップ、補強材などのタイヤのいくつかの構造要素を構築するのに使用される、ゴムを被覆された織物または金属のコードまたはバンドである。バンドは、様々な加工ステーションで、互いに略平行して成形ドラムに付着して、カーカスプライ、ベルトストリップ、および補強材を作製するのに使用される。ゴムを被覆された織物または金属コードは、他方で、回転によって巻かれて、例えば、少なくとも前記第２のベルトストリップの半径方向外側位置に前述のゼロ度コード層を形成する。
【００９８】
有利には、要素半製品を供給する前述のステーション１９は、補強布付着ステーション、および／またはプライ付着ステーション、および／または第１のベルト付着ステーション、および／または第２のベルト付着ステーション、および／またはゼロ度層付着ステーションに動作可能に連結される。
【００９９】
上記の加工ステーション１２０、１４０の少なくとも１つは、エラストマー材料だけでタイヤの構造要素、例えば、副ライナ、ライナ、摩耗防止材、サイドウオール、トレッドバンド副層、副ベルト層、トレッドバンドなどを作製することを意図され、好ましくは、隣接した、および／または少なくとも部分的に並置されたコイル状の連続する複数の細長い要素によって、タイヤのそれぞれの構造要素を形成ドラム上に構築するために、エラストマー材料の前記連続する細長い要素を供給する装置（図示せず）を含む。
【０１００】
構築ライン１０はまた、成形ドラムの寸法を調整する装置（図示せず）を含むことができる。
【０１０１】
有利には、カーカス構造体構築ライン１２はまた、成形ドラム用の一時保管庫１２２を含む。
【０１０２】
好ましい実施形態では、カーカス構造体構築ライン１２のいくつかの加工ステーション１２０での構築作業は、成形ドラムに適切に連結された支持リング対（図示せず）を用いて行われる。この実施形態では、カーカス構造体構築ライン１２は、成形ドラム用の一時保管庫１２２だけでなく、有利には、さらに、支持リング用の一時保管庫１２３と、支持リング対をそれぞれの成形ドラムに取り外し可能に連結するように構成された支持リングの連結ステーション１２４と、支持リング対をそれぞれの成形ドラムから切り離すように構成された支持リング取り外しステーション１２５とを含む。
【０１０３】
上記の構築ライン１０は、各構築される未硬化タイヤ用の様々な要素半製品と、様々な寸法の成形ドラムとを使用することができ、幾何学的、構造的、および／または技術的な特徴の観点から異なるモデルのタイヤを同時に製造することを可能にする。
【０１０４】
プラント１では、異なる仕様および補助仕様を有する大量生産タイヤと、開発／製品化中のタイヤとが同時に存在し得る。開発／製品化中のタイヤの場合、タイヤの仕様／補助仕様が、同じ作業シフト内で非常に頻繁に変わることがある。
【０１０５】
高い技術的適応性に関連して、本発明のプラント１は、未硬化タイヤを保管領域２０から取り出し、加硫装置３０に送ることに関して適応性のある管理を保証する。
【０１０６】
実際上、プラント１は、各加硫装置３０を保管領域２０からの未硬化タイヤのそれぞれの取り出しロジックに対応付け、加硫装置３０で未硬化タイヤを加硫するという各要求が発生すると、前記加硫装置３０に対応する取り出しロジックを適用して、移送装置７０が保管領域２０全体から未硬化タイヤを選択して取り出し、その未硬化タイヤを加硫装置３０に移送するように移送装置７０を動作させるように適合された処理ユニット５０を含む。
【０１０７】
取り出しロジックは、保管領域２０に実際に保管される未硬化タイヤと、構築ライン１０で構築されている未硬化タイヤと、所定の生産計画に基づいて、構築ライン１０で構築される予定の未硬化タイヤと、製造プラント１の現在の要求とを考慮に入れてプログラムすることができるプログラマブルロジックである。
【０１０８】
有利には、各加硫装置に対応した取り出しロジックは、保管領域２０からの未硬化タイヤの第１の取り出し規則を含む。製造プラント１の要求に応じて、そのような第１の規則は、有利には、処理ユニット５０によって、少なくとも１ロットのタイヤの製造中に少なくとも一度、加硫装置３０の少なくとも１つに対して、少なくとも１つの第２の取り出し規則に変更される。
【０１０９】
取り出し規則は、例えば、以下の取り出し規則、すなわち、加硫装置が適合して構成される仕様Ｓｐｊに基づくＦＩＦＯと、加硫装置が適合して構成される仕様Ｓｐｊの所定の補助仕様Ｓｕｈに基づくＦＩＦＯと、加硫装置が適合して構成される仕様Ｓｐｊに基づくＬＩＦＯと、加硫装置が適合して構成される仕様Ｓｐｊの所定の補助仕様Ｓｕｈに基づくＬＩＦＯと、特定の未硬化タイヤの定時選択と、未硬化タイヤのランダム選択との中から選択することができる。
【０１１０】
処理ユニット５０は、例えば、パーソナルコンピュータ（ＰＣ）とすることができる。
【０１１１】
処理ユニット５０は、有利には、保管領域２０に対して遠隔位置に配置することができる。
【０１１２】
図４は、加硫装置インターフェイス５１と、移送装置インターフェイス５２と、保管領域２０内の存在位置に関する情報を保存するように適合されたデータベース５３であって、存在する場合に、そのような位置を占有する未硬化タイヤのタイヤ識別要素（例えば、バーコード）、仕様、補助仕様、および／または製造データを備えたデータベース５３と、ユーザインターフェイス５４と、様々な加硫装置３０に対応する取り出しロジックを保存するように適合された記憶領域５５とを含む処理ユニット５０の実施形態を概略的に示している。
【０１１３】
図５に概略的に示すように、加硫装置（３０）Ｖｊが、新たな未硬化タイヤを加硫する準備ができると、処理ユニット５０は、加硫装置インターフェイス５１を介して、加硫装置（３０）Ｖｊで未硬化タイヤを加硫するという要求を受け取る。そのような要求を受け取ると、処理ユニット５０は、有利には、現時点で加硫装置（３０）Ｖｊに対応する取り出し規則を得るために、記憶領域５５に問い合わせするように適合されている。そのような現在の取り出し規則（例えば、仕様Ｓｐ２の補助仕様Ｓｕ１に基づくＦＩＦＯ）を入手した後、処理ユニット５０は、そのような規則を満たす未硬化タイヤを収容した保管領域２０の位置（例えば、仕様Ｓｐ２の補助仕様Ｓｕ１を有する未硬化タイヤを収容した位置）に関する情報を得るために、データベース５３に問い合わせを行い、移送装置７０が、そのような位置から現在の取り出し規則を満たす未硬化タイヤを取り出し、その未硬化タイヤを加硫装置（３０）Ｖｊに移送するように、移送装置インターフェイス５２を介して移送装置７０を動作させるように適合されている。
【０１１４】
ユーザインターフェイス５４は、ユーザ（例えば、製造プラント１の管理者）が、様々な加硫装置３０に対応する取り出し規則を設定および変更するのを可能にする。
【０１１５】
図６は、実行可能なコマンドのメニューから選択して、仕様Ｓｐ２、Ｓｐ１、Ｓｐ３を加硫するようにそれぞれ構成された３つの加硫装置（３０）Ｖｊ、Ｖｊ＋１、Ｖｊ＋２に対応することができる取り出し規則の例を概略的に示している。図示した例では、実行可能なコマンドは、仕様Ｓｐｊに基づくＦＩＦＯと、仕様Ｓｐｊの補助仕様Ｓｕｈに基づくＦＩＦＯと、特定した保管領域ＸＸでの仕様Ｓｐｊに基づくＦＩＦＯと、バーコードＸＸによって特定されるタイヤの定時選択と、ｅ−メール送信と、アラーム送信とである。ＦＩＦＯコマンドはまた、規則が適用される未硬化タイヤの数量を示すことを可能にする（数量ｎは未確定または確定）。
【０１１６】
仕様Ｓｐｊに基づくＦＩＦＯ取り出し規則は、有利には、特定の要求がない場合に、保管領域２０に存在する最も古い未硬化タイヤを加硫するのを可能にするように、デフォルトで加硫装置３０のすべてに対応することができる。他方で、製造プラント１の特定の要求がある場合に、そのようなＦＩＦＯ取り出し規則は、ユーザインターフェイス５４を介してユーザが（例えば、定時取り出しロジック、または仕様Ｓｐｊの所定の補助仕様Ｓｕｈに基づく取り出しロジックに）変更することができる。
【０１１７】
図６の例では、加硫装置（３０）Ｖｊは、順次実行される複数の規則、すなわち、５個の未硬化タイヤを対象とする、仕様Ｓｐ２の補助仕様Ｓｕ１７に基づくＦＩＦＯと、ｅ−メール送信と、１０個の未硬化タイヤを対象とする、仕様Ｓｐ２の補助仕様Ｓｕ１８に基づくＦＩＦＯと、未硬化タイヤの数量が未確定の、仕様Ｓｐ２に基づくＦＩＦＯと、ｅ−メール送信とに対応している。
【０１１８】
そのような例では、加硫装置（３０）Ｖｊで未硬化タイヤを加硫するという要求を受けると、処理ユニット５０は、仕様Ｓｐ２の補助仕様Ｓｕ１７に基づくＦＩＦＯ規則を満たす未硬化タイヤが保管領域２０にあるかどうかを検証するために、データベース５３に問い合わせする。肯定された場合、処理ユニット５０は、移送装置７０が、仕様Ｓｐ２の補助仕様Ｓｕ１７に基づくＦＩＦＯ規則に従って、保管領域２０から未硬化タイヤを取り出すように移送装置７０を動作させ、そのような規則を適用する未硬化タイヤの数量を減ずる（例えば、数量が５から４になる）。そのような規則を適用する未硬化タイヤの数量がなくなると、そのような規則は、加硫装置（３０）Ｖｊの設定から削除され、起こり得る異常についての、または進行中の仕様の加工が終わったことについての通知ｅ−メールが、例えば、システム管理者に送られ、加硫装置（３０）Ｖｊに対する次の加硫要求の発生時に、その要求に対応した次の取り出し規則が適用される。現在の取り出し規則（例えば、仕様Ｓｐ２の補助仕様Ｓｕ１７に基づくＦＩＦＯ）を満たすことができるタイヤが保管領域２０にない場合に、処理ユニット５０は、有利には、現在の異常に関する通知ｅ−メールを、例えば、システム管理者に送って、次の取り出し規則に移行し、それでもなお、未処理の取り出し規則を満たす未硬化タイヤが保管領域２０に保管されるのを待ちながら、そのような規則を有効な状態に保つように適合され得る。
【０１１９】
取り出し規則は、指定された後、製造プラント１の新たな異なる要求に応じて、同じ作業シフト内で、任意の時間に何度でも変更することができるという意味で、各加硫装置３０に対応することに留意されたい。
【０１２０】
図７〜１０は、単一のＦＩＦＯ取り出し規則を使用する製造プラントに関して、本発明を通じて得ることができる利点を概略的に示している。
【０１２１】
特に、図７は、構築ライン１０が、２つの仕様Ｓｐ１およびＳｐ２ならびに関連する補助仕様Ｓｕ１、Ｓｕ２、およびＳｕ３に従ってタイヤを製造する製造プラント１の例を示しており、製造されたタイヤは、バーコードＢ１〜Ｂ７によって特定されて保管領域２０に保管され、２つの加硫装置（３０）ＶｊおよびＶｋは、それぞれ仕様Ｓｐ１およびＳｐ２を有する未硬化タイヤを加硫するように構成され、それぞれ仕様Ｓｐ１およびＳｐ２に基づく、対応するＦＩＦＯ取り出し規則を有する。
【０１２２】
図８は、そのようなＦＩＦＯ取り出し規則を適用して、未硬化タイヤが、保管領域２０からどのようにして取り出され、２つの加硫装置ＶｊおよびＶｋに移送されるかを概略的に示している。
【０１２３】
仕様Ｓｐ１および補助仕様Ｓｕ１でタイヤを製造中の構築ライン１０に対して、品質、および／または製品化、および／または研究、および／または開発に関する問題のために、２つの補助仕様Ｓｕ２およびＳｕ３を作成して仕様Ｓｐ１に介入することが必要になったと仮定すると、図８から、仕様Ｓｐ１に基づくＦＩＦＯ取り出しロジックを使用した場合に、補助仕様Ｓｕ２に関する結果は、仕様Ｓｕ１で２つの未硬化タイヤを加硫した後しか見ることができないことが分かる。同様に、補助仕様Ｓｕ３に関する結果は、補助仕様Ｓｕ１で２つの未硬化タイヤを加硫し、補助仕様Ｓｕ２で未硬化タイヤを加硫した後しか見ることができない。
【０１２４】
図９に概略的に示すように、平均構築サイクル時間（すなわち、構築ラインＬｉからの未硬化タイヤの出力周期）を６０秒、加硫時間を２０分と仮定すると、補助仕様Ｓｕ２に関する結果を見るためには、未硬化タイヤが構築された時点から５８分待つ必要がある。補助仕様Ｓｕ３に関する結果を見るためには、タイヤが構築された時点から７６分待つことが必要である。
【０１２５】
これは、特に、実際に対象となる仕様の前に加硫されるタイヤが大量にある場合に、製造プラント１に深刻な非効率性をもたらす。単一のＦＩＦＯ取り出しロジックを使用するそのようなシステムでは、そのような待ち時間は、例えば、加硫装置Ｖｊを一旦止め、保管領域に手動で介入して、現在対象となっている補助仕様に先行する未硬化タイヤを保管庫から取り出すことによって回避することができる。しかし、そのような手動の介入は、製造プラントの効率、適合性、およびコストの点できわめて不利であろう。上記の問題は、処理ユニット５０が、仕様Ｓｐ１に基づく第１のＦＩＦＯ取り出し規則を同じ仕様Ｓｐ１の補助仕様Ｓｕ２（またはＳｕ３）に基づく第２のＦＩＦＯ取り出し規則に変更するように適合される、本発明の製造プラントによって解決される。図１０に概略的に示すように、上記の仮定した事例では、実際上、規則のそのような変更により、補助仕様Ｓｕ２に関する結果を見るのに要する待ち時間を５８分から３８分に短縮し、補助仕様Ｓｕ３に関しては、７６分から３６分に短縮することが可能になる。
【図１】
0006393268.tif 000002
【図２】
0006393268.tif 000003
【図３】
0006393268.tif 000004
【図４】
0006393268.tif 000005
【図５】
0006393268.tif 000006
【図６】
0006393268.tif 000007
【図７】
0006393268.tif 000008
【図８】
0006393268.tif 000009
【図９】
0006393268.tif 000010
【図１０】
0006393268.tif 000011